(57)【特許請求の範囲】
【請求項１】
表形式情報を記憶する表形式情報記憶部と、
前記表形式情報とは少なくとも一部が異なる改変情報を前記表形式情報に基づいて作成する改変情報作成部と、
前記改変情報を記憶する改変情報記憶部とを備える表形式情報改変装置であって、
前記改変情報作成部が、前記表形式情報の少なくとも一部についての注釈を示す注釈情報を前記表形式情報に追加するよう前記改変情報を作成し、
前記表形式情報が、
前記表形式情報が示される際の前記表形式情報における位置をそれぞれ示す複数種類の位置情報と、
前記表形式情報が示される際にはそれぞれ前記表形式情報の一部として示される複数の表一部情報とを有しており、
複数の前記表一部情報が、互いに異なる前記位置情報に対応付けられており、
前記改変情報作成部が、
前記注釈情報を記憶する注釈情報記憶部と、
前記表形式情報の前記位置情報のうち前記注釈の対象である前記表一部情報が対応付けられている前記位置情報である対応位置情報と前記注釈情報との間に対応関係を設定する対応関係設定部と、
設定された前記対応関係に基づき前記注釈情報を前記表一部情報として前記表形式情報に追加する注釈情報追加部とを有しており、
前記注釈情報記憶部が、前記対応位置情報を前記注釈情報に加えて記憶し、
前記対応位置情報が、Ｖｅｒ．番号および名称に対応付けられており、
前記対応関係設定部が、前記注釈情報記憶部に記憶されている前記対応位置情報のいずれかを抽出し、抽出された前記対応位置情報を前記注釈情報に対応付け、
前記対応関係設定部によって抽出される前記対応位置情報が、前記表形式情報記憶部に記憶された前記表形式情報に対して定められる前記Ｖｅｒ．番号および前記名称に対応するものであることを特徴とする表形式情報改変装置。
【請求項２】
前記注釈情報が、複数の優先順位付一部情報を有しており、
前記複数の優先順位付一部情報は、前記複数の優先順位付一部情報の間における優先順位が予め定められており、
前記対応関係設定部が、前記注釈情報が有する前記複数の優先順位付一部情報を共通する前記対応位置情報に対応付け、
前記注釈情報追加部が、前記表形式情報が示される際には前記優先順位にしたがって示されるよう前記複数の優先順位付一部情報を前記表形式情報に追加することを特徴とする請求項１に記載の表形式情報改変装置。
【請求項３】
コンピュータが予め記憶した表形式情報に基づいて前記表形式情報とは少なくとも一部が異なる改変情報を前記コンピュータが作成する改変情報作成工程と、
前記改変情報を前記コンピュータが記憶する改変情報記憶工程とを備える表形式情報改変方法であって、
前記改変情報作成工程において、前記表形式情報の少なくとも一部についての注釈を示す注釈情報を前記表形式情報に追加するよう前記改変情報が作成され、
前記表形式情報が、
前記表形式情報が示される際の前記表形式情報における位置をそれぞれ示す複数種類の位置情報と、
前記表形式情報が示される際にはそれぞれ前記表形式情報の一部として示される複数の表一部情報とを有しており、
複数の前記表一部情報が、互いに異なる前記位置情報に対応付けられており、
前記改変情報作成工程が、
前記注釈情報が記憶される注釈情報記憶工程と、
前記表形式情報の前記位置情報のうち前記注釈の対象である前記表一部情報が対応付けられている前記位置情報である対応位置情報と前記注釈情報との間に対応関係が設定される対応関係設定工程と、
設定された前記対応関係に基づき前記注釈情報が前記表一部情報として前記表形式情報に追加される注釈情報追加工程とを有しており、
前記注釈情報記憶工程において、前記対応位置情報が前記注釈情報に加えて記憶され、
前記対応位置情報が、Ｖｅｒ．番号および名称に対応付けられており、
前記対応関係設定工程において、前記注釈情報記憶工程にて記憶された前記対応位置情報のいずれかが抽出され、抽出された前記対応位置情報が前記注釈情報に対応付けられ、
前記対応関係設定工程において抽出される前記対応位置情報が、前記表形式情報に対して定められる前記Ｖｅｒ．番号および前記名称に対応するものであることを特徴とする表形式情報改変方法。
【請求項４】
予め記憶された表形式情報に基づいて前記表形式情報とは少なくとも一部が異なる改変情報が作成される改変情報作成工程と、
前記改変情報が記憶される改変情報記憶工程とを備える表形式情報改変方法をコンピュータに実行させる表形式情報改変プログラムであって、
前記改変情報作成工程において、前記表形式情報の少なくとも一部についての注釈を示す注釈情報を前記表形式情報に追加するよう前記改変情報が作成され、
前記表形式情報が、
前記表形式情報が示される際の前記表形式情報における位置をそれぞれ示す複数種類の位置情報と、
前記表形式情報が示される際にはそれぞれ前記表形式情報の一部として示される複数の表一部情報とを有しており、
複数の前記表一部情報が、互いに異なる前記位置情報に対応付けられており、
前記改変情報作成工程が、
前記注釈情報が記憶される注釈情報記憶工程と、
前記表形式情報の前記位置情報のうち前記注釈の対象である前記表一部情報が対応付けられている前記位置情報である対応位置情報と前記注釈情報との間に対応関係が設定される対応関係設定工程と、
設定された前記対応関係に基づき前記注釈情報が前記表一部情報として前記表形式情報に追加される注釈情報追加工程とを有しており、
前記注釈情報記憶工程において、前記対応位置情報が前記注釈情報に加えて記憶され、
前記対応位置情報が、Ｖｅｒ．番号および名称に対応付けられており、
前記対応関係設定工程において、前記注釈情報記憶工程にて記憶された前記対応位置情報のいずれかが抽出され、抽出された前記対応位置情報が前記注釈情報に対応付けられ、
前記対応関係設定工程において抽出される前記対応位置情報が、前記表形式情報に対して定められる前記Ｖｅｒ．番号および前記名称に対応するものであることを特徴とする表形式情報改変プログラム。
【発明の詳細な説明】
【技術分野】
【０００１】
本発明は、表形式情報改変装置、表形式情報改変方法、および、表形式情報改変プログラムに関する。
【背景技術】
【０００２】
特許文献１は情報処理システムを開示する。この情報処理システムは、特性対応表取得部と、項目値入力部と、特性情報生成部とを備える。特性対応表取得部は、特性対応表を取得する。特性対応表は、複数の項目と、複数の項目値とを有する。それら複数の項目は、電子部品の特性を示す特性項目を含む。複数の項目値は、複数の項目のそれぞれに対応する。項目値入力部は、複数の項目のうちの、ユーザが選択した少なくとも１つの選択項目に対応する項目値をユーザに入力させる。特性情報生成部は、選択項目の項目値と特性対応表とに基づいて、特性情報を生成する。特性情報は、選択項目とは異なる特性項目の項目値を含む。特許文献１に開示されている情報処理システムによれば、ユーザが手作業で電子部品の情報を入力する場合において作業を簡略化できる。
【先行技術文献】
【特許文献】
【０００３】
【特許文献１】特開２０１９−１３３２２２号公報
【発明の概要】
【発明が解決しようとする課題】
【０００４】
しかしながら、特許文献１に開示された情報処理システムには、特性対応表の内容が誤っていた場合に誤入力が生じるという問題点がある。例えば、複数の項目のうちあるものの内容が本来のものと異なっていた場合には、ユーザによって入力される項目値も本来入力されるべきものではなくなってしまう。特性対応表の内容が誤っていた場合にそのことを容易に発見するためには、特性対応表の内容を容易に理解可能とすることが望ましい。このことは、特許文献１における特性対応表だけでなく表形式情報においてしばしば言えることである。
【０００５】
本発明は、このような問題を解消するものである。その目的は、表形式情報の少なくとも一部の内容を容易に理解可能とする表形式情報改変装置、表形式情報改変方法、および、表形式情報改変プログラムを提供することにある。
【課題を解決するための手段】
【０００６】
図面に基づいて本発明の表形式情報改変装置、表形式情報改変方法、および、表形式情報改変プログラムが説明される。なお、この欄で図中の符号を使用したのは、発明の内容の理解を助けるためであって、内容を図示した範囲に限定する意図ではない。
【０００７】
上述された課題を解決するために、本発明のある局面に従うと、表形式情報改変装置１０は、表形式情報記憶部６２と、改変情報作成部６４と、改変情報記憶部６６とを備える。表形式情報記憶部６２は表形式情報を記憶する。改変情報作成部６４は、改変情報を表形式情報に基づいて作成する。改変情報は、表形式情報とは少なくとも一部が異なる。改変情報記憶部６６は、改変情報を記憶する。改変情報作成部６４が、注釈情報を表形式情報に追加するよう改変情報を作成する。注釈情報は、表形式情報の少なくとも一部についての注釈を示す。
【０００８】
改変情報作成部６４が、注釈情報を表形式情報に追加するよう改変情報を作成する。注釈情報が追加されると、改変情報が任意の方法で読みだされ出力される際、表形式情報の少なくとも一部についての注釈を示す情報も出力されることとなる。その情報が出力されると、表形式情報のうち注釈が追加された部分の内容を容易に理解できる。その結果、表形式情報の少なくとも一部の内容は容易に理解可能となる。
【０００９】
また、上述された表形式情報が、複数種類の位置情報と、複数の表一部情報とを有している。複数種類の位置情報は、表形式情報が示される際の表形式情報における位置をそれぞれ示す。複数の表一部情報は、表形式情報が示される際にはそれぞれ表形式情報の一部として示される。この場合、複数の表一部情報が、互いに異なる位置情報に対応付けられている。この場合、改変情報作成部６４が、注釈情報記憶部８０と、対応関係設定部８２と、注釈情報追加部８４とを有している。注釈情報記憶部８０は、注釈情報を記憶する。対応関係設定部８２は、対応位置情報と注釈情報との間に対応関係を設定する。対応位置情報は、表形式情報の位置情報のうち次に述べられる位置情報である。その位置情報は、注釈の対象である表一部情報が対応付けられている位置情報である。注釈情報追加部８４は、設定された対応関係に基づき注釈情報を表一部情報として表形式情報に追加する。注釈情報記憶部８０が、対応位置情報を注釈情報に加えて記憶する。対応位置情報が、Ｖｅｒ．番号および名称に対応付けられている。対応関係設定部８２が、注釈情報記憶部８０に記憶されている対応位置情報のいずれかを抽出し、抽出された対応位置情報を注釈情報に対応付ける。対応関係設定部８２によって抽出される対応位置情報が、表形式情報記憶部６２に記憶された表形式情報に対して定められているＶｅｒ．番号および名称に対応するものである。
【００１０】
注釈情報追加部８４が設定された対応関係に基づき注釈情報を表一部情報として表形式情報に追加する。その追加にあたり、注釈情報は、表形式情報が有する位置情報のうち対応位置情報に対応付けられる。これにより、注釈情報は、表形式情報が示される際、注釈の対象である表一部情報と同一の位置情報に対応付けられることとなる。同一の位置情報に対応付けられるので、注釈の対象である表一部情報の内容を把握することが容易になる。その結果、表形式情報の少なくとも一部の内容は容易に理解可能となる。
【００１１】
もしくは、上述された注釈情報が、複数の優先順位付一部情報を有していることが望ましい。この場合、複数の優先順位付一部情報は、複数の優先順位付一部情報の間における優先順位が予め定められていることが望ましい。この場合、対応関係設定部８２が、注釈情報が有する複数の優先順位付一部情報に対して共通する対応位置情報との間に対応関係を設定することが望ましい。この場合、注釈情報追加部８４が、表形式情報が示される際には優先順位にしたがって示されるよう複数の優先順位付一部情報を表形式情報に追加することが望ましい。
【００１２】
注釈情報が、複数の優先順位付一部情報を有している。注釈情報追加部８４が、複数の優先順位付一部情報を表形式情報に追加する。これにより、表形式情報が示される際には複数の優先順位付一部情報が優先順位にしたがって示される。複数の優先順位付一部情報が優先順位にしたがって示されると、注釈情報の追加前に対応位置情報に対応付けられていた表一部情報についての複数の情報が優先順位にしたがって示されることとなる。複数の情報が優先順位にしたがって示されると、表形式情報の内容を優先順位の高い事項から順に理解することが可能になる。
【００１３】
本発明の他の局面に従うと、表形式情報改変方法は、改変情報作成工程Ｓ２３２と、改変情報記憶工程Ｓ２３４とを備える。改変情報作成工程Ｓ２３２において、表形式情報に基づいて改変情報をコンピュータ２０が作成する。改変情報は、表形式情報とは少なくとも一部が異なる。表形式情報は、コンピュータ２０が予め記憶したものである。改変情報記憶工程Ｓ２３４にて、改変情報をコンピュータ２０が記憶する。改変情報作成工程Ｓ２３２において、注釈情報を表形式情報に追加するよう改変情報が作成される。注釈情報は、表形式情報の少なくとも一部についての注釈を示す。また、上述された表形式情報が、複数種類の位置情報と、複数の表一部情報とを有している。複数種類の位置情報は、表形式情報が示される際の表形式情報における位置をそれぞれ示す。複数の表一部情報は、表形式情報が示される際にはそれぞれ表形式情報の一部として示される。この場合、複数の表一部情報が、互いに異なる位置情報に対応付けられている。この場合、改変情報作成工程Ｓ２３２が、注釈情報記憶工程と、対応関係設定工程Ｓ２６０と、注釈情報追加工程Ｓ２６２とを有している。注釈情報記憶工程において、注釈情報が記憶される。対応関係設定工程Ｓ２６０において、対応位置情報と注釈情報との間に対応関係が設定される。対応位置情報は、表形式情報の位置情報のうち次に述べられる位置情報である。その位置情報は、注釈の対象である表一部情報が対応付けられている位置情報である。注釈情報追加工程Ｓ２６２において、設定された対応関係に基づき注釈情報が表一部情報として表形式情報に追加される。注釈情報記憶工程において、対応位置情報が注釈情報に加えて記憶される。対応位置情報が、Ｖｅｒ．番号および名称に対応付けられている。対応関係設定工程Ｓ２６０において、注釈情報記憶工程にて記憶された対応位置情報のいずれかが抽出され、抽出された対応位置情報が注釈情報に対応付けられる。対応関係設定工程Ｓ２６０において抽出される対応位置情報が、表形式情報に対して定められるＶｅｒ．番号および名称に対応するものである。
【００１４】
本発明にかかる表形式情報改変方法によれば、表形式情報の少なくとも一部の内容は容易に理解可能となる。
【００１５】
本発明の他の局面に従うと、表形式情報改変プログラムは、表形式情報改変方法をコンピュータ２０に実行させる。表形式情報改変方法は、改変情報作成工程Ｓ２３２と、改変情報記憶工程Ｓ２３４とを備える。改変情報作成工程Ｓ２３２において、表形式情報に基づいて改変情報が作成される。改変情報は、表形式情報とは少なくとも一部が異なる。表形式情報は、予め記憶されたものである。改変情報記憶工程Ｓ２３４にて、改変情報が記憶される。改変情報作成工程Ｓ２３２において、注釈情報を表形式情報に追加するよう改変情報が作成される。注釈情報は、表形式情報の少なくとも一部についての注釈を示す。また、上述された表形式情報が、複数種類の位置情報と、複数の表一部情報とを有している。複数種類の位置情報は、表形式情報が示される際の表形式情報における位置をそれぞれ示す。複数の表一部情報は、表形式情報が示される際にはそれぞれ表形式情報の一部として示される。この場合、複数の表一部情報が、互いに異なる位置情報に対応付けられている。この場合、改変情報作成工程Ｓ２３２が、注釈情報記憶工程と、対応関係設定工程Ｓ２６０と、注釈情報追加工程Ｓ２６２とを有している。注釈情報記憶工程において、注釈情報が記憶される。対応関係設定工程Ｓ２６０において、対応位置情報と注釈情報との間に対応関係が設定される。対応位置情報は、表形式情報の位置情報のうち次に述べられる位置情報である。その位置情報は、注釈の対象である表一部情報が対応付けられている位置情報である。注釈情報追加工程Ｓ２６２において、設定された対応関係に基づき注釈情報が表一部情報として表形式情報に追加される。注釈情報記憶工程において、対応位置情報が注釈情報に加えて記憶される。対応位置情報が、Ｖｅｒ．番号および名称に対応付けられている。対応関係設定工程Ｓ２６０において、注釈情報記憶工程にて記憶された対応位置情報のいずれかが抽出され、抽出された対応位置情報が注釈情報に対応付けられる。対応関係設定工程Ｓ２６０において抽出される対応位置情報が、表形式情報に対して定められるＶｅｒ．番号および名称に対応する情報に対応付するものである。
【００１６】
本発明にかかる表形式情報改変プログラムによれば、表形式情報の少なくとも一部の内容は容易に理解可能となる。
【発明の効果】
【００１７】
本発明にかかる表形式情報改変装置、表形式情報改変方法、および、表形式情報改変プログラムによれば、表形式情報の少なくとも一部の内容は容易に理解可能となる。
【図面の簡単な説明】
【００１８】
【図１】本発明の一実施形態にかかる表形式情報改変装置と通信ネットワークとの関係が示される概念図である。
【図２】本発明の一実施形態にかかる表形式情報改変装置のハードウェア構成が示される概念図である。
【図３】本発明の一実施形態にかかる表形式情報改変装置の機能ブロック図である。
【図４】本発明の一実施形態にかかる表形式情報改変方法の制御の手順を示すフローチャートである。
【図５】本発明の一実施形態にかかる改変情報作成工程の制御の手順を示すフローチャートである。
【図６】本発明の一実施形態にかかる製品検査データシートの内容を表形式で示した画像の概念図である。
【図７】本発明の一実施形態にかかるデータベースの構造を示す概念図である。
【図８】本発明の一実施形態にかかる注釈情報と対応位置情報とが結合されている状況の概念図である。
【図９】本発明の一実施形態にかかる注釈情報が追加された後の製品検査データシートの内容を表形式で示した画像の概念図である。
【発明を実施するための形態】
【００１９】
以下、図面に基づいて本発明の実施形態が説明される。以下の説明では、同一の部品には同一の符号が付されている。それらの名称および機能も同一である。したがって、それらについての詳細な説明は繰返さない。
【００２０】
［表形式情報改変装置の用途の説明］
以下、本発明の一実施形態が説明される。図１は、本実施形態にかかる表形式情報改変装置１０と通信ネットワーク１２との関係が示される概念図である。図１に基づいて、本実施形態にかかる表形式情報改変装置１０の用途の概要が説明される。
【００２１】
本実施形態にかかる表形式情報改変装置１０は、通信ネットワーク１２を介して図示されない装置に接続される。本実施形態にかかる表形式情報改変装置１０は、通信ネットワーク１２を介してその図示されない装置から後述される様々な情報を受信する。本実施形態にかかる表形式情報改変装置１０は、表形式情報に注釈情報を追加することより、その表形式情報を改変する。本実施形態にかかる表形式情報改変装置１０は、その改変された表形式情報である改変情報を出力する。
【００２２】
本実施形態の場合、表形式情報は、複数種類の位置情報と、複数の表一部情報とを有している。複数種類の位置情報は、表形式情報が示される際の表形式情報における位置をそれぞれ示す。複数の表一部情報は、表形式情報が示される際にはそれぞれ表形式情報の一部として示される。この場合、複数の表一部情報が、互いに異なる位置情報に対応付けられている。本実施形態の場合、表一部情報には、名称情報と事項情報とがある。名称情報は、名称を示す。事項情報は、名称情報のいずれかに対応付けられている。事項情報は、対応付けられた名称情報が示す名称に対応する事項を示す。すなわち、ある名称情報が示す名称とその名称情報に対応付けられた事項情報が示す事項とは、互いに対応している。なお、本実施形態における「表形式情報が示される」とは、ヒトの五感によって認識可能な態様で表形式情報が表されることを意味する。本実施形態における「表形式情報が示される」の例には、画像として表示装置３８の画面に表形式情報が表示されることと、プリンタ２２によって表形式情報が紙に印刷されることとがある。
【００２３】
［表形式情報改変装置のハードウェア構成の説明］
図２は、本実施形態にかかる表形式情報改変装置１０のハードウェア構成が示される概念図である。図２に基づいて、本実施形態にかかる表形式情報改変装置１０のハードウェア構成が説明される。本実施形態にかかる表形式情報改変装置１０は、コンピュータ２０とプリンタ２２と、マウス２４とを備える。コンピュータ２０は、情報を処理する。プリンタ２２は、紙に画像を印刷することにより情報を出力する。マウス２４は、オペレータの入力に応じて信号を生成する。これにより、コンピュータ２０に情報が入力される。
【００２４】
本実施形態の場合、コンピュータ２０は、制御部３０と、メモリ３２と、固定ディスク３４と、キーボード３６と、表示装置３８と、コネクタ４０と、第１Ｉ／Ｏ（Input/Output）４２と、第２Ｉ／Ｏ４４と、第３Ｉ／Ｏ４６とを有する。制御部３０は、ＣＰＵ（Central Processing Unit）などによって実現される。制御部３０は、これがメモリ３２から読出したプログラムを実行することにより、そのプログラムにおいて定められた手順にしたがってコンピュータ２０を構成する各装置を制御する。メモリ３２は、ＲＯＭ（Read only memory）およびＲＡＭ（Random access memory）などによって実現される。メモリ３２は、プログラムとデータその他の情報とを記憶する。固定ディスク３４は、プログラムとデータその他の情報とを記録する。キーボード３６は、オペレータの入力に応じて信号を生成する。これにより、コンピュータ２０に情報が入力される。表示装置３８は、画像を表示することにより情報を出力する。コネクタ４０には図１に示されたＵＳＢ（Universal Serial Bus）メモリ２６が接続される。ＵＳＢメモリ２６に記録されたプログラムおよび情報はコネクタ４０を介して制御部３０に読み込まれる。第１Ｉ／Ｏ４２は、通信ネットワーク１２に接続される。第１Ｉ／Ｏ４２は、通信ネットワーク１２を介して図示されない装置と通信する。第２Ｉ／Ｏ４４は、プリンタ２２に接続される。第２Ｉ／Ｏ４４は、プリンタ２２と通信する。第３Ｉ／Ｏ４６は、マウス２４に接続される。第３Ｉ／Ｏ４６は、マウス２４と通信する。
【００２５】
本実施形態の場合、表形式情報改変装置１０は、コンピュータ２０の制御部３０がプログラムを実行することにより実現される。
【００２６】
［表形式情報改変装置の機能の説明］
図３は、本実施形態にかかる表形式情報改変装置１０の機能ブロック図である。図３に基づいて、本実施形態にかかる表形式情報改変装置１０の構成とその機能とが説明される。
【００２７】
表形式情報改変装置１０は、表形式情報受付部６０と、表形式情報記憶部６２と、改変情報作成部６４と、改変情報記憶部６６と、改変情報出力部６８とを備える。
【００２８】
本実施形態の場合、表形式情報受付部６０は、制御部３０、キーボード３６、コネクタ４０、および、マウス２４によって実現される。表形式情報受付部６０は表形式情報を受付ける。
【００２９】
本実施形態の場合、表形式情報記憶部６２は、制御部３０、メモリ３２、および、固定ディスク３４によって実現される。表形式情報記憶部６２は表形式情報を記憶する。
【００３０】
本実施形態の場合、改変情報作成部６４は、制御部３０、メモリ３２、固定ディスク３４、および、第１Ｉ／Ｏ４２によって実現される。改変情報作成部６４は、改変情報を表形式情報に基づいて作成する。改変情報作成部６４が、注釈情報を表形式情報に追加する。注釈情報が追加された表形式情報が本実施形態にかかる改変情報である。その注釈情報は、表形式情報の少なくとも一部についての注釈を示す。その結果、改変情報は、表形式情報とは少なくとも一部が異なる。本実施形態の場合、改変情報作成部６４が、注釈情報記憶部８０と、対応関係設定部８２と、注釈情報追加部８４とを有している。
【００３１】
注釈情報記憶部８０は、制御部３０、メモリ３２、固定ディスク３４、および、第１Ｉ／Ｏ４２によって実現される。注釈情報記憶部８０は、注釈情報を記憶する。注釈情報記憶部８０が、注釈情報受付部１００と、受付情報記憶部１０２とを有している。
【００３２】
注釈情報受付部１００は、制御部３０、メモリ３２、および、第１Ｉ／Ｏ４２によって実現される。本実施形態の場合、注釈情報受付部１００は、注釈情報のデータベースと対応位置情報のデータベースとを受付ける。これにより、複数の注釈情報と対応位置情報とが受付けられることとなる。なお、本実施形態の場合、対応位置情報とは、表形式情報の位置情報のうち次に述べられる位置情報を意味する。その位置情報は、次に述べられる表一部情報が対応付けられている位置情報である。その表一部情報は、注釈情報による注釈の対象である表一部情報である。
【００３３】
受付情報記憶部１０２は、制御部３０、メモリ３２、および、固定ディスク３４によって実現される。受付情報記憶部１０２は、注釈情報受付部１００が受付けた注釈情報のデータベースと対応位置情報のデータベースとを記憶する。これにより、複数の注釈情報と対応位置情報とが記憶されることとなる。
【００３４】
対応関係設定部８２は、制御部３０、メモリ３２、固定ディスク３４、キーボード３６、および、マウス２４によって実現される。対応関係設定部８２は、対応位置情報と注釈情報との間に対応関係を設定する。対応関係設定部８２が、注釈情報抽出部１２０と、抽出情報結合部１２２とを有している。
【００３５】
注釈情報抽出部１２０は、制御部３０、メモリ３２、固定ディスク３４、キーボード３６、および、マウス２４によって実現される。注釈情報抽出部１２０は、注釈情報のデータベースからこれに含まれる注釈情報のいずれかを抽出する。注釈情報抽出部１２０は、対応位置情報のデータベースからこれに含まれる対応位置情報のいずれかを抽出する。
【００３６】
抽出情報結合部１２２は、制御部３０、メモリ３２、および、固定ディスク３４によって実現される。抽出情報結合部１２２は、注釈情報抽出部１２０によって抽出された注釈情報と注釈情報抽出部１２０によって抽出された対応位置情報とを結合する。
【００３７】
注釈情報追加部８４は、制御部３０、メモリ３２、および、固定ディスク３４によって実現される。注釈情報追加部８４は、注釈情報を表一部情報として表形式情報に追加する。注釈情報追加部８４は、表形式情報が有する位置情報のうち対応位置情報に注釈情報を対応付ける。本実施形態の場合、注釈情報追加部８４は、表形式情報が示される際には複数の優先順位付一部情報が優先順位にしたがって示されるよう注釈情報を表形式情報に追加する。
【００３８】
本実施形態の場合、改変情報記憶部６６は、制御部３０、メモリ３２、および、固定ディスク３４によって実現される。改変情報記憶部６６は改変情報を記憶する。
【００３９】
本実施形態の場合、改変情報出力部６８は、制御部３０、メモリ３２、固定ディスク３４、表示装置３８、および、プリンタ２２によって実現される。改変情報出力部６８は、改変情報を出力する。
【００４０】
［プログラムの説明］
上述されたように、本実施形態にかかる表形式情報改変装置１０は、上述されたコンピュータ２０の制御部３０がメモリ３２から読出したプログラムを実行することにより実現される。一般的にこうしたプログラムは、ＵＳＢメモリ２６などのコンピュータ２０が読取可能な記録媒体に記録された状態で流通する。こうしたプログラムは図示されないインターネットを介して流通することもある。こうしたプログラムは、固定ディスク３４にいったん記録される。制御部３０が実行するプログラムは、その固定ディスク３４に記録されたプログラムをメモリ３２が記憶したものである。したがって、本発明の最も本質的な部分は、ＵＳＢメモリ２６などのコンピュータ読取可能な記録媒体に記録されたソフトウェアである。
【００４１】
［通信ネットワークの説明］
本実施形態にかかる通信ネットワーク１２の構成および機能は周知である。したがってそれらの詳細な説明は繰り返されない。
【００４２】
［表形式情報改変方法にかかるフローチャートの説明］
図４は、本実施形態にかかる表形式情報改変方法の制御の手順を示すフローチャートである。この表形式情報改変方法は、次に述べられる複数の工程をコンピュータ２０に実行させるものである。それら複数の工程は、改変情報作成工程Ｓ２３２、および、改変情報記憶工程Ｓ２３４である。コンピュータ２０の制御部３０がプログラムを実行した結果、コンピュータ２０は、表形式情報改変装置１０としてそれら複数の工程を備える表形式情報改変方法を実施することとなる。以下、これらの各工程の具体的な内容が説明される。
【００４３】
改変情報作成工程Ｓ２３２にて、改変情報作成部６４（現実には、制御部３０、メモリ３２、固定ディスク３４、および、第１Ｉ／Ｏ４２）は、注釈情報を表形式情報に追加する。その結果、表形式情報に基づいて改変情報が作成される。表形式情報は、表形式情報記憶部６２が予め記憶したものである。
【００４４】
改変情報記憶工程Ｓ２３４にて、改変情報記憶部６６（現実には制御部３０、メモリ３２、および、固定ディスク３４）は、改変情報を記憶する。
【００４５】
図５は、本実施形態にかかる改変情報作成工程Ｓ２３２における制御の手順を示すフローチャートである。この工程は、次に述べられる複数の工程をコンピュータ２０に実行させるものである。それら複数の工程は、対応関係設定工程Ｓ２６０、注釈情報追加工程Ｓ２６２、および、追加終了判断工程Ｓ２６４である。以下、これらの各工程の具体的な内容が説明される。
【００４６】
対応関係設定工程Ｓ２６０にて、対応関係設定部８２（現実には、制御部３０、メモリ３２、および、固定ディスク３４）は、対応位置情報と注釈情報との間に対応関係を設定する。本実施形態の場合、対応関係設定工程Ｓ２６０は、注釈情報抽出工程Ｓ２８０と、抽出情報結合工程Ｓ２８２とを有する。
【００４７】
注釈情報抽出工程Ｓ２８０にて、注釈情報抽出部１２０（現実には、制御部３０、メモリ３２、固定ディスク３４、キーボード３６、および、マウス２４）は、注釈情報のデータベースからこれに含まれる注釈情報のいずれかを抽出する。注釈情報抽出部１２０は、対応位置情報のデータベースからこれに含まれる対応位置情報のいずれかを抽出する。
【００４８】
抽出情報結合工程Ｓ２８２にて、抽出情報結合部１２２（現実には、制御部３０、メモリ３２、および、固定ディスク３４）は、注釈情報抽出部１２０によって抽出された注釈情報と注釈情報抽出部１２０によって抽出された対応位置情報とを結合する。
【００４９】
注釈情報追加工程Ｓ２６２にて、注釈情報追加部８４（現実には、制御部３０、メモリ３２、および、固定ディスク３４）は、注釈情報を表一部情報として表形式情報に追加する。注釈情報追加部８４は、表形式情報が有する位置情報のうち対応位置情報に注釈情報を対応付ける。本実施形態の場合、注釈情報追加部８４は、表形式情報が示される際には複数の優先順位付一部情報が優先順位にしたがって示されるよう注釈情報を表形式情報に追加する。
【００５０】
追加終了判断工程Ｓ２６４にて、注釈情報追加部８４は、注釈情報抽出工程Ｓ２８０にて抽出された注釈情報がすべて表一部情報として表形式情報に追加されたか否かを判断する。注釈情報抽出工程Ｓ２８０にて抽出された注釈情報がすべて表一部情報として表形式情報に追加されたと判断された場合（Ｓ２６４にてＹＥＳ）、改変情報作成工程Ｓ２３２は終了する。もしそうでないと（Ｓ２６４にてＮＯ）、処理は注釈情報追加工程Ｓ２６２へと移される。
【００５１】
［動作の説明］
製品検査データシートの内容の検証に用いられる場合を例にとって、本実施形態にかかる表形式情報改変装置１０の動作が説明される。本実施形態の場合、表形式情報として製品検査データシートが受付けられる。
【００５２】
（製品検査データシートの記憶）
本実施形態にかかる表形式情報改変装置１０の使用者（以下単に「使用者」と称される）は、表形式情報改変装置１０の表形式情報受付部６０（現実には、キーボード３６、および、マウス２４）を操作する。これにより、使用者は表形式情報改変装置１０に対して指示を入力する。その指示は製品検査データシートの受付を示す。その指示が入力されると、表形式情報改変装置１０の表形式情報受付部６０（現実には、第１Ｉ／Ｏ４２）は、通信ネットワーク１２を介して図示されない装置から製品検査データシートを受信する。表形式情報受付部６０（現実には、制御部３０）はその製品検査データシートを表形式情報記憶部６２（現実には、固定ディスク３４）に記憶させる。これにより、表形式情報受付部６０が製品検査データシートを受付けたこととなる。また、表形式情報記憶部６２が製品検査データシートを予め記憶したこととなる。
【００５３】
（製品検査データシート）
本実施形態にかかる製品検査データシートは、製品の検査項目とその検査項目に関する情報とを表形式で示す情報である。本実施形態にかかる製品検査データシートは、表題を示す情報と、列の名称を示す情報と、検査項目の名称を示す情報と、検査における判定結果を示す情報と、製品検査データシートの識別に用いられる情報とを有する。本実施形態にかかる製品検査データシートが示されると、これらの情報は製品検査データシートの一部として示されることとなる。
【００５４】
本実施形態にかかる製品検査データシートは、複数種類の位置情報を有する。表題を示す情報と、列の名称を示す情報と、検査項目の名称を示す情報と、検査における判定結果を示す情報と、製品検査データシートの識別に用いられる情報とは、互いに異なる位置情報に対応付けられている。それら複数種類の位置情報は、製品検査データシートが示される際の製品検査データシートにおける位置をそれぞれ示す。本実施形態の場合、１個の位置情報は、行情報と欄情報とを含む。行情報は、表の行方向の座標を示す。本実施形態の場合、行情報は、行情報であることを示す「Ｒ」という情報と表のうち上から何行目に位置する欄かを示す数値とを含む。列情報は、表の列方向の座標を示す。列情報は、列情報であることを示す「Ｃ」という情報と表のうち左から何行目に位置する欄かを示す数値とを含む。これにより、製品検査データシートが示される際の、表題を示す情報と、列の名称を示す情報と、検査項目の名称を示す情報と、検査における判定結果を示す情報と、製品検査データシートの識別に用いられる情報との製品検査データシートにおける位置は、一意に定まる。
【００５５】
図６は、製品検査データシートの内容を表形式で示した画像の概念図である。この画像は、列情報欄３１０と、行情報欄３１２と、表題欄３１４と、列名称欄３１６と、検査項目名称欄３１８と、判定結果欄３２０とを含む。列情報欄３１０は、列情報を示す。行情報欄３１２は、行情報を示す。表題欄３１４は、表題を示す。なお、本実施形態の場合、その表題は、表題欄３１４の右隣の欄にはみ出している。列名称欄３１６は、列の名称を示す。検査項目名称欄３１８は、検査項目の名称を示す。判定結果欄３２０は、検査における判定結果を示す。
【００５６】
以上の説明から明らかなように、製品検査データシートは、本実施形態にかかる表形式情報である。製品検査データシートが有する情報のうち、表題を示す情報と、列の名称を示す情報と、検査項目の名称を示す情報とは、本実施形態にかかる名称情報の一種である。この場合、検査における判定結果を示す情報は、検査項目の名称を示す情報に対応付けられている。したがって、検査における判定結果を示す情報は、本実施形態にかかる事項情報の一種である。
【００５７】
（注釈情報のデータベースおよび対応位置情報のデータベースの記憶）
使用者は、表形式情報改変装置１０の注釈情報受付部１００（現実には、キーボード３６、および、マウス２４）を操作することにより表形式情報改変装置１０に対して指示を入力する。この場合、その指示は注釈情報のデータベースおよび対応位置情報のデータベースの受信を示すこととする。その指示が入力されると、注釈情報受付部１００（現実には、制御部３０、および、第１Ｉ／Ｏ４２）は通信ネットワーク１２を介して図示されない装置に対し注釈情報のデータベースおよび対応位置情報のデータベースを要求する旨の情報を送信する。その情報を受信した図示されない装置は、注釈情報受付部１００に対して注釈情報のデータベースおよび対応位置情報のデータベースを返信する。注釈情報受付部１００はそれら注釈情報のデータベースおよび対応位置情報のデータベースを受信する。受付情報記憶部１０２（現実には、制御部３０、メモリ３２、および、固定ディスク３４）は注釈情報受付部１００が受付けた注釈情報のデータベースと対応位置情報のデータベースとを記憶する。
【００５８】
図７は、本実施形態におけるデータベースの構造を示す概念図である。上述されたように、本実施形態において、受付情報記憶部１０２は、注釈情報のデータベースと対応位置情報のデータベースとを記憶する。注釈情報のデータベースの具体的内容の一例は、図７（Ａ）に示される。対応位置情報のデータベースの具体的内容の一例は、図７（Ｂ）に示される。
【００５９】
図７（Ａ）に示される注釈情報のデータベースは、「関連記号」と呼ばれる情報と、「列名称Ａ」と呼ばれる情報と「列名称Ｂ」と呼ばれる情報と「列名称Ｃ」と呼ばれる情報とからなっている。「関連記号」は注釈情報と対応位置情報との対応関係の設定に用いられる。「関連記号」は優先順位付一部情報の組み合わせを番号によって示す情報でもある。「列名称Ａ」は検査項目の分類を示す。「列名称Ｂ」は検査項目の細目を示す。「列名称Ｃ」は注釈の具体的内容を示す。本実施形態において、これらの情報はいずれも優先順位付一部情報である。「関連記号」とその「関連記号」に対応付けられる「列名称Ａ」と「列名称Ｂ」と「列名称Ｃ」との集合体が本実施形態にかかる１個の注釈情報である。これにより、本実施形態においては、「列名称Ａ」と「列名称Ｂ」と「列名称Ｃ」とが「関連記号」に対応付けられていることとなる。例えば、図７（Ａ）に示されている情報の場合、「通信設定」という「列名称Ａ」と「ＭＡＣＩＤ」という「列名称Ｂ」と「確認」という「列名称Ｃ」とは、「１」という「関連記号」に対応付けられている。本実施形態の場合、それら１個の注釈情報が有する複数の優先順位付一部情報において、複数の優先順位付一部情報の間における優先順位が予め定められている。本実施形態の場合、「関連記号」の優先順位が「１位」である。「列名称Ａ」の優先順位が「２位」である。「列名称Ｂ」の優先順位が「３位」である。「列名称Ｃ」の優先順位が「４位」である。
【００６０】
図７（Ｂ）に示される対応位置情報のデータベースは、「関連記号」と、「Ｖｅｒ．番号」と呼ばれる情報と、「シート名称」と呼ばれる情報と、対応位置情報とからなっている。「Ｖｅｒ．番号」は、同一種の製品検査データシートの間で相違点があるもの同士を識別するための情報である。「シート名称」は、複数の製品検査データシートから、注釈情報を追加するものを識別するための情報である。「Ｖｅｒ．番号」と「シート名称」との集合体が本実施形態にかかる１個の改変対象識別情報である。「改変対象識別情報」とは、改変の対象となる表形式情報を識別するための情報のことである。対応位置情報のデータベースが図７（Ｂ）に示される構成となっていることから明らかなように、本実施形態においては、関連記号と対応位置情報とは改変対象識別情報に対応付けられている。例えば、図７（Ｂ）に示されている情報の場合、「１」という「関連記号」と「Ｒ６Ｃ３」という対応位置情報とは、「５」という「Ｖｅｒ．番号」および「調整検査Ｓ」という「シート名称」に対応付けられている。
【００６１】
（表形式情報改変方法実施時における表形式情報改変装置の動作）
使用者は、表形式情報改変装置１０の注釈情報抽出部１２０（現実には、キーボード３６、および、マウス２４）を操作することにより、表形式情報改変装置１０に対して指示と改変対象識別情報とを入力する。その指示は製品検査データシートに対する注釈情報の追加を示す。ここでは、製品検査データシートに対する注釈情報の追加が指示され、かつ、「５」という「Ｖｅｒ．番号」と「調整検査Ｓ」という「シート名称」とが改変対象識別情報として入力されたこととする。それらが入力されると、注釈情報抽出部１２０（現実には、制御部３０、メモリ３２、および、固定ディスク３４）は、注釈情報のデータベースから注釈情報を抽出する。本実施形態の場合、注釈情報抽出部１２０は、注釈情報のデータベースからすべての注釈情報を抽出する。注釈情報抽出部１２０は、対応位置情報のデータベースから次に述べられる対応位置情報を抽出する（Ｓ２８０）。その対応位置情報は、使用者が入力した改変対象識別情報に対応付けられている対応位置情報である。すなわち、その対応位置情報は、「５」という「Ｖｅｒ．番号」と「調整検査Ｓ」という「シート名称」とに対応付けられている対応位置情報である。注釈情報抽出部１２０は、その改変対象識別情報に対応付けられている関連記号も併せて抽出する。
【００６２】
注釈情報および対応位置情報が抽出されると、抽出情報結合部１２２（現実には、制御部３０、および、メモリ３２）は、注釈情報抽出部１２０によって抽出された注釈情報と対応位置情報とを記憶する。本実施形態の場合、抽出情報結合部１２２は、対応付けられている関連記号が共通する注釈情報と対応位置情報とが連なるようにそれらの情報を記憶する。これにより、注釈情報抽出部１２０によって抽出された注釈情報と対応位置情報とが結合されることとなる（Ｓ２８２）。図８は、関連記号が共通する注釈情報と対応位置情報とが結合されている状況の概念図である。それらの情報が結合されることで、関連記号が共通する注釈情報と対応位置情報との間に対応関係が設定されることとなる。その結果、例えば関連記号「３」ならば、「Ｒ８Ｃ３」は「データ書込」、「ＩＤ」、「確認」たちとの間で対応関係が設定されることとなる。
【００６３】
関連記号が共通する注釈情報と対応位置情報との間に対応関係が設定されると、注釈情報追加部８４は、注釈情報を表一部情報として製品検査データシートに追加する（Ｓ２６２）。本実施形態の場合、製品検査データシートに追加される注釈情報は、抽出情報結合部１２２によって対応位置情報と結合された全ての注釈情報である。本実施形態の場合、この工程では、製品検査データシートにまだ追加されていない注釈情報のうち関連記号が示す値が最も小さい注釈情報がその製品検査データシートに追加される。注釈情報が追加される製品検査データシートは、表形式情報記憶部６２が記憶する製品検査データシートのうち改変対象識別情報によって特定されるものである。製品検査データシートに注釈情報が追加されるにあたり、その注釈情報には、対応関係設定部８２によって対応関係が設定された対応位置情報が対応付けられる。その際、注釈情報追加部８４は、製品検査データシートが示される際には複数の優先順位付一部情報が優先順位にしたがって示されるよう注釈情報を製品検査データシートに追加する。
【００６４】
注釈情報が製品検査データシートに追加されると、注釈情報追加部８４は、注釈情報抽出工程Ｓ２８０にて抽出された注釈情報がすべて表一部情報として製品検査データシートに追加されたか否かを判断する（Ｓ２６４）。「１」という関連記号が含まれた注釈情報が製品検査データシートに追加された時点では「２」という関連記号が含まれた注釈情報と「３」という関連記号が含まれた注釈情報とがまだ製品検査データシートに追加されていない。したがって、注釈情報追加部８４は、製品検査データシートにまだ追加されていない注釈情報があると判断するので（Ｓ２６４にてＮＯ）、注釈情報追加部８４は、「２」という関連記号が含まれた注釈情報を製品検査データシートに追加する（Ｓ２６２）。注釈情報が製品検査データシートに追加されると、注釈情報追加部８４は、注釈情報抽出工程Ｓ２８０にて抽出された注釈情報がすべて表一部情報として製品検査データシートに追加されたか否かを判断する（Ｓ２６４）。注釈情報追加部８４は、製品検査データシートにまだ追加されていない注釈情報がまだあると判断するので（Ｓ２６４にてＮＯ）、注釈情報追加部８４は、「３」という関連記号が含まれた注釈情報を製品検査データシートに追加する（Ｓ２６２）。注釈情報が製品検査データシートに追加されると、注釈情報追加部８４は、注釈情報抽出工程Ｓ２８０にて抽出された注釈情報がすべて表一部情報として製品検査データシートに追加されたか否かを判断する（Ｓ２６４）。注釈情報追加部８４は、注釈情報抽出工程Ｓ２８０にて抽出された注釈情報がすべて表一部情報として製品検査データシートに追加されたと判断するので（Ｓ２６４にてＹＥＳ）、改変情報記憶部６６は、注釈情報が追加された製品検査データシートすなわち改変情報を記憶する（Ｓ２３４）。これにより、改変情報が作成されたこととなる。
【００６５】
図９は、注釈情報が追加された後の製品検査データシートの内容を表形式で示した画像の概念図である。注釈情報の追加前に存在した「確認」という表一部情報に代えて図８に示された注釈情報が示されている。また、本実施形態の場合、注釈情報追加部８４は、注釈情報の追加にあたり、「関連記号」である「１」「２」「３」という情報の前に「＊００」という文字列を追加している。これにより、図９において、「関連記号」である「１」「２」「３」という情報は「＊００１」「＊００２」「＊００３」と示されている。本実施形態の場合、「＊００」という文字列が追加されることにより、「関連記号」が注釈の具体的内容を示すためではなく製品検査データシートに追加される注釈情報同士の間で他の注釈情報と区別するために含まれる情報であることが示されている。このように注釈情報が追加された製品検査データシートが本実施形態にかかる改変情報である。
【００６６】
（改変情報の出力）
改変情報が改変情報記憶部６６に記憶された後、使用者は、表形式情報改変装置１０の改変情報出力部６８（現実には、キーボード３６、および、マウス２４）を操作することにより、表形式情報改変装置１０に対して指示と改変対象識別情報とを入力する。その指示は改変情報の出力を示す。指示と改変対象識別情報とが入力されると、改変情報出力部６８（現実には、制御部３０、メモリ３２、固定ディスク３４、表示装置３８、および、プリンタ２２）は、改変対象識別情報が示す改変情報すなわち製品検査データシートを出力する。
【００６７】
［効果の説明］
本実施形態にかかる表形式情報改変装置１０においては、改変情報作成部６４が、注釈情報を製品検査データシートに追加する。注釈情報が追加されると、製品検査データシートが出力される際、その少なくとも一部についての注釈を示す情報も出力されることとなる。その注釈を示す情報が出力されると、使用者は、出力された製品検査データシートの注釈を見ることにより、注釈情報の内容と製品検査データシートの内容との間に齟齬があるか否かを検証できる。そのような齟齬があった場合、製品検査データシートの注釈とこれに隣り合う（その結果その注釈に対応付けられている）検査項目名称欄３１８の記載とが整合しないはずである。このような検証により、使用者は、製品検査データシートの内容を容易に理解できる。その結果、製品検査データシートの少なくとも一部の内容は容易に理解可能となる。
【００６８】
また、本実施形態にかかる表形式情報改変装置１０において、注釈情報抽出部１２０は、対応位置情報のデータベースから次に述べられる対応位置情報を抽出する。その対応位置情報は、使用者が入力した改変対象識別情報に対応付けられている対応位置情報である。抽出情報結合部１２２は、注釈情報抽出部１２０によって抽出された注釈情報と対応位置情報とを結合する。これにより、本実施形態にかかる表形式情報改変装置１０は、使用者が入力した改変対象識別情報に応じて注釈情報と対応位置情報との組み合わせを変え得る。
【００６９】
今回開示された実施形態はすべての点で例示である。本発明の範囲は上述した実施形態に基づいて制限されるものではない。もちろん、本発明の趣旨を逸脱しない範囲で種々の設計変更が可能である。
【００７０】
例えば、注釈情報は複数の優先順位付一部情報を有するものに限定されない。注釈情報は相互間の優先順位が定められていない複数の情報を有するものでもよい。注釈情報が追加される際、元の表一部情報は削除されなくてもよい。
【００７１】
また、注釈情報受付部１００が注釈情報と対応位置情報とを受付けるための手段は通信に限定されない。例えば、その受付はコネクタ４０がＵＳＢメモリ２６からそれらの情報を読み込むことによって実現されてもよい。また、注釈情報受付部１００が注釈情報と対応位置情報とを受付けるにあたる際の情報の形式はデータベースに限定されない。
【符号の説明】
【００７２】
１０…表形式情報改変装置
１２…通信ネットワーク
２０…コンピュータ
２２…プリンタ
２４…マウス
２６…ＵＳＢメモリ
３０…制御部
３２…メモリ
３４…固定ディスク
３６…キーボード
４２…表示装置
４０…コネクタ
４２…第１Ｉ／Ｏ
４４…第２Ｉ／Ｏ
４６…第３Ｉ／Ｏ
６０…表形式情報受付部
６２…表形式情報記憶部
６４…改変情報作成部
６６…改変情報記憶部
６８…改変情報出力部
８０…注釈情報記憶部
８２…対応関係設定部
８４…注釈情報追加部
１００…注釈情報受付部
１０２…受付情報記憶部
１２０…注釈情報抽出部
１２２…抽出情報結合部
３１０…列情報欄
３１２…行情報欄
３１４…表題欄
３１６…列名称欄
３１８…検査項目名称欄
３２０…判定結果欄
【要約】
【課題】表形式情報の少なくとも一部の内容を容易に理解可能とする。
【解決手段】表形式情報改変装置１０は、表形式情報記憶部６２と、改変情報作成部６４と、改変情報記憶部６６とを備える。表形式情報記憶部６２は表形式情報を記憶する。改変情報作成部６４は、改変情報を表形式情報に基づいて作成する。改変情報は、表形式情報とは少なくとも一部が異なる。改変情報記憶部６６は、改変情報を記憶する。改変情報作成部６４が、注釈情報を表形式情報に追加するよう改変情報を作成する。注釈情報は、表形式情報の少なくとも一部についての注釈を示す。注釈情報が追加されると、改変情報が任意の方法で読みだされ出力される際に注釈を示す情報も出力される。その情報が出力されると、表形式情報のうち注釈が追加された部分の内容を容易に理解できる。その結果、表形式情報の少なくとも一部の内容は容易に理解可能となる。
【選択図】図３【図１】
0006963849.tif 000002
【図２】
0006963849.tif 000003
【図３】
0006963849.tif 000004
【図４】
0006963849.tif 000005
【図５】
0006963849.tif 000006
【図６】
0006963849.tif 000007
【図７】
0006963849.tif 000008
【図８】
0006963849.tif 000009
【図９】
0006963849.tif 000010